(57)【要約】  市場調査のための情報処理システムは、コンピュータに接続され、好ましくは各々がタッチスクリーンを有する複数のステーションを備える。コンピュータの利用可能なプログラムは、選択的に、質問の回答に必要な事前情報を与えた後、回答者に一連の質問を与えるように構成されている。回答者が質問群に答えた後、回答者はコース、商品券、又は商品等の無料の報酬をその場ですぐに受け取る。質問がなされる商品情報を提示することにより、本発明は１００％の確実性で各回答者が、回答者が報酬を受け取ることができる前に、与えられた情報を見ることを確実にする。【特許請求の範囲】
【請求項１】
中央コンピュータと、
前記中央コンピュータに接続されている少なくとも１つのステーションと、
を有し、
前記少なくとも１つのステーションは、
キーボード、マウスを備えたディスプレイ、タッチスクリーン、又は携帯電話等の情報入力手段と、
ディスプレイ等の情報出力手段と、
商品出力手段と、
プログラムを格納するプログラム手段と、を備える、情報処理システムであって、
前記プログラムは、
（ａ）回答者の自発的な登録及び識別の後のセッション中に前記情報出力手段を介して前記回答者に質問をするステップと、
（ｂ）前記情報入力手段を介して前記回答者によって与えられた前記質問に対する回答を処理するステップと、
（ｃ）ステップ（ａ）及び（ｂ）を所定の回数繰り返すステップと、
（ｄ）前記情報出力手段によって、第１コース等の第１の無料の報酬を通知するステップと、
（ｅ）前記商品出力手段によって、通知された前記第１の無料の報酬をその場ですぐに提供するステップと、
を適当な順序で、前記情報入力手段及び／又は前記情報出力手段と前記商品出力手段とに実行させるように構成されている
ことを特徴とする情報処理システム。
【請求項２】
前記プログラムはさらに、
（ｆ）前記情報出力手段を介して依頼者の商品及び／又はサービスに関する情報とともに宣伝を提示するステップと、
（ｇ）前記情報出力手段を介して空白画面等の情報を含まない画面をしばらくの間選択的に提示するステップと、
（ｈ）前記情報出力手段を介して前記回答者にステップ（ｆ）で提示された情報に関する質問をするステップと、
（ｉ）前記情報入力手段を介して前記回答者によって与えられた回答を処理するステップと、
（ｊ）ステップ（ｈ）及び（ｉ）を数回繰り返すステップと、
（ｋ）情報出力手段によって、メインコース等の第２の無料の報酬を通知するステップと、
（ｌ）前記商品出力手段によって、前記通知された第２の無料の報酬をその場ですぐに提供するステップと、
（ｍ）前記情報出力手段を介して、ステップ（ｌ）で提供された報酬について前記回答者に複数の質問をするステップと、
（ｎ）前記情報入力手段を介して、前記回答者によって与えられた回答を処理するステップと、
を適当な順序で実行するように構成されている、請求項１に記載の情報処理システム。
【請求項３】
前記プログラムは、
（ｏ）前記情報出力手段によって前記回答者に感謝を述べ、１つ又は複数の進呈品の包み等の最終的な報酬を通知するステップと、
（ｐ）前記商品出力手段又は別個の分配ステーションによって前記通知された最終的な報酬を提供するステップと、
を適当な順序で、前記情報入力手段及び／又は前記情報出力手段と前記商品出力手段とに実行させるように構成されている、請求項１又は請求項２に記載の情報処理システム。
【請求項４】
前記プログラムは、
（ｑ）前記第１の報酬が商品券又は割引券であるステップ（ｂ）及び（ｅ）を、適当な順序で前記情報入力手段及び／又は前記情報出力手段と前記商品出力手段とに実行させるように構成されている、請求項１から請求項３のいずれかの請求項に記載の情報処理システム。
【請求項５】
前記プログラムは、
（ｒ）前記第２の報酬が商品券又は割引券であるステップ（ｋ）及びステップ（ｌ）を実行するステップを、適当な順序で前記情報入力手段及び／又は前記情報出力手段と前記商品出力手段とに実行させるように構成されている、請求項２に記載の情報処理システム。
【請求項６】
前記プログラムは、
（ｓ）異なる宣伝とともにステップ（ｆ）からステップ（ｎ）を繰り返すステップを、
適当な順序で前記情報入力手段及び／又は前記情報出力手段と前記商品出力手段とに実行させるように構成されている、請求項２に記載の情報処理システム。
【請求項７】
前記プログラムは、
（ｔ）ステップ（ｓ）を複数回繰り返すステップを、
適当な順序で前記情報入力手段及び／又は前記情報出力手段と前記商品出力手段とに実行させるように構成されている、請求項６に記載の情報処理システム。
【請求項８】
ステーションが回答者によって渡されるパッケージ、ビン、及び／又は電池等の廃棄物を収集するための商品入力手段を備える、請求項１から請求項７のいずれかの請求項に記載の情報処理システム。
【請求項９】
最初の識別及び登録の際、回答者に電子的に読み取り可能な個人カードが与えられ、
前記個人カードを用いて回答者を識別するためのカードリーダが、複数のステーションが置かれている空間の入口に配置されるか、又は各ステーションにカードリーダが備えられる、請求項１に記載の情報処理システム。
【請求項１０】
ステップ（ｂ）で回答者によって与えられる回答数が多いほど、ステップ（ｃ）における前記回答者の個人情報に関する質問、及びステップ（ｄ）及び（ｅ）での報酬の額が増大する、請求項１又は請求項２に記載の情報処理システム。
【請求項１１】
前記報酬が、回答者が食事、劇場での公演、又は他の娯楽への招待等の比較的高価な報酬を受け取る機会を含み、ステップ（ｂ）における前記回答者の回答数が増えるほど、この機会が増大する、請求項１０に記載の情報処理システム。
【請求項１２】
前記システムの運営者のウェブサイト上で前記コンピュータに接続された回答フォームを介して、又は郵便の住所を介して、誰でも回答者の志願者としてシステムに登録することができる、請求項１から請求項１１のいずれかの請求項に記載の情報処理システム。
【請求項１３】
セッションの後に前記個人カードが前記カードリーダに挿入され、前記個人カードに回答者の回答数に応じた値が加算される、請求項９及び請求項１０又は請求項１１のいずれかに記載の情報処理システム。
【請求項１４】
前記情報出力手段がステップ（ｆ）に従って旅行や娯楽の情報等を含む宣伝を仮想現実で呈示する、３次元眼鏡を用いた３次元仮想現実システムを備える、請求項１から請求項１３のいずれかの請求項に記載の情報処理システム。
【請求項１５】
前記プログラムは、
（ｎ）市場調査の様式で複数の回答者の回答を処理して商業上利用可能な情報にし、依頼者に前記依頼者が所望する情報を提供するステップ、
を適当な順序で前記情報入力手段及び／又は前記情報出力手段と前記商品出力手段とに実行させるように構成されている、請求項１から請求項１４のいずれかの請求項に記載の情報処理システム。
【請求項１６】
前記コンピュータが１人又は複数の依頼者にオンラインで接続されており、前記依頼者はリアルタイムでセッションを監視することができ、関連する回答者に付加的な質問を与えることができる、請求項１５に記載の情報処理システム。
【請求項１７】
投射される光の色及び／又は投射されるパターン等の光学的効果と、
花、香草、果物、又は芳香性の食品のにおい等の香りと、
温度と、
音楽又は安らぎを与える音等の音響効果と、
セッションが行われる空間の調度と、
を含む群からの影響パラメーターに基づいた、セッション中に回答者の心理状態に影響を与えるための選択的な調整可能雰囲気管理手段を備える、請求項１から請求項１６のいずれかの請求項に記載の情報処理システム。
【請求項１８】
前記空間の調度をモジュール式に変更することができる、請求項１７に記載の情報処理システム。
【請求項１９】
請求項１から請求項１８のいずれかの請求項に記載の情報処理システムを備える無料商品の自由処分可能分配装置であって、前記商品出力手段は、関連する回答者が一連の質問の組に対して選択された数の回答を与えた後、選択手段を用いて提示された商品から選択を行うことを可能にするように構成されており、前記選択手段の操作の後、前記商品出力手段は選択された商品を無料で提供する、無料商品の自由処分可能分配装置。
【発明の詳細な説明】
【技術分野】
【０００１】
本発明は、
中央コンピュータと、
前記中央コンピュータに接続されている少なくとも１つのステーションと、を有し、
少なくとも１つのステーションが、
キーボード、マウスを備えたディスプレイ、タッチスクリーン、又は携帯電話等の情報入力手段と、
ディスプレイ等の情報出力手段と、
商品出力手段と、
プログラムを格納するプログラム手段と、を備える、情報処理システムに関する。
【背景技術】
【０００２】
このようなシステムは公知であり、市場調査のために使用されている。消費者は、自身のパソコンを利用して、市場調査の代理業者のウェブサイトを介した市場調査代理業者の依頼人の商品やサービスに対するアンケートに回答する機会を与えられる。
【発明の開示】
【発明が解決しようとする課題】
【０００３】
回答者の回答は、限定されたものとなっている。その原因は、多くの回答者が、他人、特に市場調査代理業者及びその依頼人に対してのみメリットがある方法で、彼らの時間を費やさなければならないという動機の低さにある。
【０００４】
本発明の目的は、既存及び周知のシステムより大幅に高い回答を得ることができる、特に市場調査のための情報処理システムを提供することである。
【課題を解決するための手段】
【０００５】
これに関し、本発明は前文に記載された種類の情報処理システムであって、
プログラムが、
（ａ）回答者の自発的な登録及び識別の後のセッション中に情報出力手段を介して前記回答者に質問をするステップと、
（ｂ）情報入力手段を介して回答者によって与えられた質問に対する回答を処理するステップと、
（ｃ）ステップ（ａ）及び（ｂ）を所定の回数繰り返すステップと、
（ｄ）情報出力手段によって第１のコース等の第１の無料の報酬を通知するステップと、
（ｅ）商品出力手段によって通知された第１の無料の報酬をその場ですぐに提供するステップと、
を適当な順序で、情報入力手段及び／又は情報出力手段と商品出力手段とに実行させるように構成されているという特徴を有する情報処理システムを提供する。
【０００６】
予備的な内密な調査は、実質的に１００％の予想回答が実際に実現可能であることを示している。この結果、本発明の情報処理システムの実質的な効率は、既存のシステムに比べ絶対的に優れていると特徴付けることができる。
【０００７】
ラジオ、テレビ、インターネット、新聞、雑誌、及び携帯電話システム等の、回答者の募集に適した媒体を介したキャンペーンにより、潜在的な回答者を効率的に募集することができる。
【０００８】
始めに、各回答者は完全に自発的な理由で参加する。登録後、回答者は上記の機能要素を備えた上記の種類のステーションが配置された机の前に座る。そして、回答者がこの目的に適した操作を実行することによってセッションが開始される。詳細には、回答者は「開始」ボタンをクリックすることができ、その後、回答者は歓迎され、最初の質問を提示される。これに答えた後、回答者には第２、第３の質問が提示される。第１の一連の質問は住所、生年月日、国籍、既婚・未婚、子供の数、職業、学歴、回答者が度々利用する店等の回答者の個人的な情報に関するものであってもよい。
【０００９】
回答者が提示された質問に答えると、回答者には第１の無料の報酬が提示され、その場ですぐに与えられる。ここでは、例えば、第１のコース等が考えられる。
【００１０】
ここで、商品出力手段は情報出力手段の一部であってもよいし、又は情報出力手段と併用されてもよい。本発明の情報処理システムを美容院に応用した場合の一例を以下に説明する。このような状況において顧客は理髪中、長時間にわたってじっと座っているため、本発明のシステムのセッションに参加するのに非常に適した状況にある。第１の無料の報酬は、参加している顧客が報酬の権利を得たことを示す画面上のメッセージであってもよい。これは、例えば、理髪の割引又は無料商品等であってもよい。ステップ（ｄ）の通知は基本的にステップ（ｅ）、すなわち第１の無料の報酬によって行われてもよい。そして、スタッフは画面に表示された報酬が適当な方法で渡されることを確実にする責任を負う。
【００１１】
この実施形態において、商品出力手段は情報出力手段の動作に基づいた無形の商品を供給するための、そして美容院のスタッフが顧客に割引等の報酬を与えることを確実にするために利用される条項であると考えることもできる。
【００１２】
ここで、上述の内容が単なる例に過ぎないことは明白であるだろう。
【００１３】
さらなる展開として、本発明のシステムは、プログラムがさらに適当な順序で、
（ｆ）情報出力手段を介して依頼者の商品及び／又はサービスに関する情報とともに宣伝を提示するステップと、
（ｇ）情報出力手段を介して空白画面等の情報を含まない画面をしばらくの間選択的に提示するステップと、
（ｈ）情報出力手段を介して前記回答者にステップ（ｆ）で提示された情報に関する質問をするステップと、
（ｉ）情報入力手段を介して前記回答者によって与えられた回答を処理するステップと、
（ｊ）ステップ（ｈ）及び（ｉ）を数回繰り返すステップと、
（ｋ）情報出力手段によって、メインコース等の第２の無料の報酬を通知するステップと、
（ｌ）商品出力手段によって通知された第２の無料の報酬をその場ですぐに提供するステップと、
（ｍ）情報出力手段を介してステップ（ｌ）で提供された報酬について回答者に複数の質問をするステップと、
（ｎ）情報入力手段を介して回答者によって与えられた回答を処理するステップと、
を実行するように構成されているという特徴を有する。
【００１４】
このさらなる展開において、情報処理システムの運営者である市場調査業者は関連する依頼人の商品及び／又はサービスに対する意見、及びそれに関連した購買行動に対するさらなる洞察を得ることができる。セッションのこの部分が終了すると回答者にその場ですぐに提供されるだろうことを知っている無料の報酬が回答者に提供されるため、回答者は質問に答えることを動機付けられる。
【００１５】
第２の報酬は、例えば、メインコースであってもよい。
【００１６】
十分な時間がまだ残っており、回答者がさらなる質問に答える用意がある場合、回答者には、例えば、回答者がそれらに関する質問に基づいて回答することができる回答者のさらなる詳細な個人情報、及び／又はさらなる宣伝又は一連の宣伝に関する第２の一連の質問が提示されてもよい。
【００１７】
内容に関するセッションが上記の様式にしたがって完了した後、本システムは１つの選択肢に従って、セッションを適切に終了させるために、回答者の満足度にさらに応答してもよい。このために、システムは、例えば、プログラムが、
（ｏ）情報出力手段によって回答者に感謝を述べ、１つ又は複数の進呈品のパッケージ等の最終的な報酬を通知するステップと、
（ｐ）商品出力手段又は別個の分配ステーションによって通知された最終的な報酬を提供するステップと、
を適当な順序で、情報入力手段及び／又は情報出力手段と商品出力手段とに実行させるように構成されているという特徴を有してもよい。
【００１８】
進呈物は、例えば、回答者に出された質問に関連した商品を含むサンプルのパックであってもよい。
【００１９】
回答者が回答者に出された質問への回答で回答者の個人的な情報をより多く与えるほど、回答者は回答者の協力に対して回答者が受ける感謝に寄与する。回答者は無料の食事又は娯楽等に招待される機会を増やすことができる。
【００２０】
好ましい実施形態において、システムは最初の識別及び登録の際、回答者には電子的に読み取り可能な個人カードが与えられ、個人カードを用いて回答者を識別するためのカードリーダが、複数のステーションが置かれている空間の入口に配置されるか、又は各ステーションにカードリーダが備えられるという特徴を有する。
【００２１】
これにより、入場時及び／又は登録時の身元確認によって詐欺行為が防止される。
【００２２】
特定の変形において、システムは、情報出力手段がステップ（ｆ）に従って、例えば、旅行や娯楽の情報を含む宣伝を仮想現実で呈示する、３次元眼鏡を用いた３次元仮想現実システムを備えることを特徴とする。
【００２３】
これにより、「体験ルーム」にて、新規の商品及びサービスを、３次元眼鏡を用いて仮想現実で体験することができる。この情報に基づいて、システムは回答者が回答するためのさらなる質問を与えることができる。
【００２４】
システムは好ましくは、情報入力手段と情報出力手段の両方の機能を実施することができるタッチスクリーンを利用する。
【００２５】
１つの変形において、システムは、プログラムが、（ｑ）第１の報酬が商品券又は割引券であるステップ（ｂ）及び（ｅ）を実行するステップを、適当な順序で情報入力手段及び／又は情報出力手段と商品出力手段とに実行させるように構成されているという特徴を有する。
【００２６】
この場合、商品券又は割引券は、コースの場合と同様に、回答者に報酬としてその場ですぐに渡される。このため、商品出力手段は引換券の提供に適した、キャッシュディスペンサに類似の分配装置、又はプリンタを備えてもよい。
【００２７】
特定の実施形態において、本発明のシステムは、ステーションが回答者によって渡されるパッケージ、ボトル、及び／又は電池等の廃棄物を収集するための商品入力手段を備えるという特徴を有する。
【００２８】
廃棄物が渡されるとき、個人カードの残高は加算される。これに関連した増大値は、例えば、回答者の食事や娯楽等への権利獲得に対するより大きな機会として具現化されてもよい。回答者の完全に自発的な参加、及び回答者にその場ですぐに贈呈される食事や劇場での公演への引換券等の無料の報酬もまた回答者の動機に寄与する。一般的な例として、回答者がより詳細な情報を与えるほど、報酬はより増大する。この点に関し、本発明のシステムは、ステップ（ｂ）で回答者によって与えられる回答数が多いほど、ステップ（ｃ）における回答者の個人情報に関する質問、及びステップ（ｄ）及び（ｅ）での報酬の額が増大するという特徴を有してもよい。
【００２９】
システムはまた、報酬が、回答者が食事、劇場での公演、又は他の娯楽等への招待等の比較的高価な報酬を受け取る機会を含み、ステップ（ｂ）における回答者の回答数が増えるほど、この機会が増大するという特徴を有してもよい。
【００３０】
本発明のシステムはさらに、システムの運営者のウェブサイト上でコンピュータに接続された回答フォームを介して、又は郵便の住所を介して、誰でも回答者の志願者としてシステムに登録することができるという特徴を有してもよい。
【００３１】
他の登録方法もまた、可能である。回答者の志願者は、例えば、複数のステーションが存在するセンターで登録することができる。この場合、回答者の志願者の登録を実施するために、手の空いているスタッフが回答者の詳細を記録してもよい。
【００３２】
システムはさらに、セッション後に個人カードがカードリーダに挿入され、該個人カードに回答者の回答数に応じた値が加算されるという特徴を有してもよい。
【００３３】
本発明のシステムは、高効率で市場調査を実行することを目的としている。このため、システムは好ましくは、情報入力手段及び／又は情報出力手段と商品出力手段とが、適当な順序で、（ｎ）市場調査の様式で複数の回答者の回答を処理して商業上利用可能な情報にし、依頼者に該依頼者が所望する情報を提供するように、プログラムが構成されるように、実施される。
【００３４】
システムは選択的に、コンピュータが１人又は複数の依頼者にオンラインで接続されており、該依頼者はリアルタイムでセッションを監視することができ、関連する回答者に付加的な質問を与えることができるという特徴を有してもよい。このオプションは、依頼者が調査セッションの比較的低いレベルで介入することを可能にする。この変形において、依頼者は該依頼者の事務所でセッションのコースをリアルタイムで監視することができ、選択的に、セッション中に特定の回答者に対して生ずる可能性がある余分な質問を加えることができる。
【００３５】
最終的な調査報告はＳＰＳＳやＡＳＣＩ形式等で、依頼者にデジタル的に伝達することができる。
【００３６】
システムはまた、
投射される光の色及び／又は投射されるパターン等の光学的効果と、
花、香草、果物、又は芳香性の食品のにおい等の香りと、
温度と、
音楽又は安らぎを与える音等の音響効果と、
セッションが行われる空間の調度と、を含む群からの影響パラメーターに基づいた、セッション中に回答者の心理状態に影響を与えるための選択的な調整可能雰囲気管理手段を備えてもよい。
【００３７】
このような変形において、回答者の心理状態は非常に前向きな様式で影響を受けることができる。これは回答者の動機、及び回答者の調査への参加を増大させ、それによって調査結果の質を向上させることが予想される。
【００３８】
上記の実施形態は選択的に、空間の調度がモジュール式に変更できるという特徴を有してもよい。これに関し、例えば、子供向けに特化したセッションにおいて、家具の寸法が子供用に調節され、特に、小さめの椅子及びテーブル等の小さめのユニットを備えるようにすることも可能である。背が高い又は肥満した回答者のセッションに対し、家具は同様に、このグループの回答者に適したものにされ、特に、通常よりも高く、又は幅を広くされてもよい。
【００３９】
本発明はさらに、無料商品の分配装置であって、上記の詳細のいずれかに従った情報処理システムを備え、商品出力手段は、関連する回答者が一連の質問の組に対して選択された数の回答を与えた後、選択手段を用いて提示された商品から選択を行うことを可能にするように構成されており、選択手段の操作の後、商品出力手段は選択された商品を無料で提供する、無料商品の分配装置に関する。
【００４０】
付随する図面とともに、以下に本発明を説明する。各図面はセッションの連続するステージにおけるタッチスクリーン上の表示を示している。
【発明を実施するための最良の形態】
【００４１】
図１は、自分の個人カードをカードリーダに挿入することによって自分の身元を明らかにした回答者を歓迎している初期画面を示している。「開始」ボタンを押すと、プログラムは連続的なステップの実行を開始する。連続的なステップの実行は、複数の質問で開始される。
【００４２】
図２は第１の質問を示している。対応するボタンとともに、複数の選択肢で示された可能な回答が示されている。
【００４３】
この例の場合、最初に、回答者が第１の一連の質問に答えた後に回答者が受け取ることを知っている商品に関する情報が与えられる。この情報は「あなたの今日の最初のコースは、美味で新鮮なトマトスープです」である。
【００４４】
これに対する質問は「第１コースを家で食べますか？」である。
【００４５】
可能な回答は、（１）はい、（２）いいえ、（３）ときどき、である。選択した回答を入力した後、回答者は回復ボタンによって該回答を修正することもできるし、又は「ＯＫ」ボタンによって選択を確認することもできる。そして、システムは次の質問又はセッションの残りの部分に進む。
【００４６】
ここで、図２の画面の下側に宣伝があることに注意することは重要である。この例の場合、宣伝はユニレバー（Unilever）からの「あなたの第１のコースはイグロ（Iglo）、モラ（Mora）、べセル（Becel）、カルヴァ（Calve）等で知られているユニレバーベストフーズ（Unilever Best Foods）によって贈呈されます」である。
【００４７】
この種の質問である第１の５つの質問に答えた後、回答者は第１のコースが提供されることを示す合図を受け取る。これは、関連する通知の直後に行われてもよい。
【００４８】
図３は、複数の公知の商品及び新規の商品の宣伝を示している。
【００４９】
この画面の後、好ましくは、空白画面が少しの間表示されてもよい。図４は図３の宣伝に関する、その後の画面を示している。この画面は回答者の集中度を試験する。ここにも回復ボタン及び確認ボタンとともに３つの可能な回答が示されている。
【００５０】
ここで、このシステムによって対象となっている宣伝に対して回答者から１００％の回答が保証されることに注意することは非常に重要である。これは本発明のシステムの固有の特徴である。
【００５１】
図５は報酬として期待されるメインコースの構成要素を示す画面を示している。回答者が１０個の質問に答えた後、回答者は画面上で、通知されたメインコースがすぐに提供されるというメッセージを受け取る。
【００５２】
図５の画面はいかなる質問も含んでいないので、この画面は回答者が関連する情報を読み、「次へ」ボタンを押すまで表示され、そしてボタンが押されると、システムは次の画面に進む。
【００５３】
図６は、この時点でメインコースを食べる機会を既に得た回答者が、該メインコースの構成要素毎について、「非常に良い」、「良い」、「普通」、「まあまあ」、「悪い」という特徴で、回答者の意見を与えることができる画面を示している。
【００５４】
全ての質問に回答した後、回答者は確認ボタン「終了」を押し、内容に関するセッションの一部が終了する。
【００５５】
図７はセッションの終了時に、システムが回答者の貴重な貢献に対する感謝を述べる画面を示している。この画面はまた、回答者が出口で土産袋を受け取ることができる事を知らせている。このため、回答者は、この例において端末番号３２（各画面の上部右端）であるステーションの番号に対応する自分の参加番号を述べなければならない。
【００５６】
ここで、本発明のシステムが、回答者にとって非常に心地良く気の張らない様式で回答者の貴重な情報が関心のある第三者に知らされる可能性があることを回答者に提示することは明白であるだろう。これを行うために、回答者は考えられる全ての形式で報酬を受け取る。
【００５７】
ステーションの配置場所に対して多様な実施形態を想像することができる。例えば、１２個のテーブルを有し、５０人を収容することができる、本システムに対して特別に設定された高級料理レストランを有する空間を想像することが可能である。入口及び出口で試食が行われ、タッチスクリーン及び心理状態に良い方向に影響を与えるための雰囲気管理が利用される。この目的のために、光学的及び音響的幻影を用いてソフトウェア制御の下で雰囲気を急激に変化させることができる。
【００５８】
もう１つの実施形態は、選択された場所に配置された自動販売機として実施することができる。食品及び／又は商品の提供はタッチスクリーン上の、質問への回答に基づいて行うことができる。あるいは、商品券又は貸方伝票が提供されてもよい。
【００５９】
ステーションは自身の設備、飲食店、及びビデオ販売店等の適当な場所に配置されてもよい。
【００６０】
図がセッション中の多様な情報画面の一部の表示に過ぎないことは明白であるだろう。数時間等のかなりの時間を必要とするセッション、及び数十又は百以上の画面を想像することが可能である。
【図面の簡単な説明】
【００６１】
【図１】初期画面を示す図
【図２】質問及び複数の回答ボタンを含む画面を示す図
【図３】宣伝を含む画面を示す図
【図４】図３に示された宣伝に関連する質問及び複数の回答と関連ボタンを含む画面を示す図
【図５】無料の報酬として提示されたメインコースに関連する画面を示す図
【図６】質問及びメインコースの構成要素に関連する回答ボタンを含む画面を示す図
【図７】セッション終了の最終画面を示す図
【図１】
2009512059.tif 000002
【図２】
2009512059.tif 000003
【図３】
2009512059.tif 000004
【図４】
2009512059.tif 000005
【図５】
2009512059.tif 000006
【図６】
2009512059.tif 000007
【図７】
2009512059.tif 000008